(57)【要約】【課題】汎用市販品の端子台に取付けることにより、簡易な構成で回路基板に実装される電子部品に大電流を流すことのできる端子台用端子金具を実現する。【解決手段】標準ネジ26が挿入されるネジ孔14ａが形成された天板部14と、該天板部14から垂下する側壁部16と、上記側壁部16の下端から下方に突出する脚部18を有する端子台12に取付けて使用する端子台用端子金具10であって、上記端子台12のネジ孔14ａと連通するネジ用孔20ａが形成された天板20と、該天板20の一端から下方に延設された垂下板22と、該垂下板22の下端から、上記天板20と反対側の水平方向に延設され、接続対象の電子部品（コイル34）の導線36の数と、少なくとも同数の導線挿入孔24ａが形成された導線接続板24を備える。【選択図】図１
2016173917.tif 000002
【特許請求の範囲】
【請求項１】
標準ネジが挿入螺合されるネジ孔が形成された天板部を有する端子台に取付けて使用する端子台用端子金具であって、
上記端子台のネジ孔と連通するネジ用孔が形成された天板と、接続対象の電子部品の導線の数と、少なくとも同数の導線挿入孔が形成された導線接続板を備えることを特徴とする端子台用端子金具。
【発明の詳細な説明】
【技術分野】
【０００１】
この発明は、端子台用端子金具に関し、特に、汎用市販品の端子台に取付けて使用する端子台用端子金具に関する。
【背景技術】
【０００２】
従来より、回路基板に、例えばコイルやコンデンサ等の各種電子部品を実装してノイズフィルタを構成すること等が行われている。尚、上記ノイズフィルタは、電源ライン或いは通信ライン等の外部ラインを経由して電子機器内に侵入する各種のノイズによって、電子機器が誤動作することを防止し、また、電子機器が発生するノイズを外部に発散させないために使用されるものである。
【０００３】
上記回路基板には、電子部品同士の接続や電子部品への通電を行うための導体パターンが形成されているが、常用されている導体パターンの厚さは３５μｍ程度と非常に薄いため、導体パターンを介してコイル等の電子部品に大電流を通電すると導体パターンが発熱・高温化するため、流せる電流には限界があり、３０Ａ程度が限度であった。
【０００４】
このため、図２２及び図２３に例示するように、従来、回路基板70に実装されたコイル72に大電流（例えば５０Ａ以上）を通電する場合、コイル72の導線74の先端部を、圧着端子76の嵌合部76ａに挿通して圧着接続すると共に、回路基板70を貫通するボルト78に螺合させた一対のナット80，82間に配置されるように上記圧着端子76のリング部76ｂをボルト78に接続している。尚、図示は省略するが、コイル72の導線74の先端部と圧着端子76の嵌合部76ａとを圧着接続した後、接続強度を高めるため接続箇所は半田接合される。また、図２１において、84，86はワッシャである。
そして、図示しない外部電源線を、一対のナット80，82間に接続した上で、斯かる外部電源線を介してコイル72に大電流を供給していた。
【０００５】
図２２及び図２３に示す方法にあっては、回路基板70の導体パターンを介在させずにコイル72に電流を供給するので、大電流を流すことができるのである。
【発明の概要】
【発明が解決しようとする課題】
【０００６】
しかしながら、上記従来方法にあっては、
（１）コイル72の導線74の先端部に接続する圧着端子76が必要であると共に、導線74と圧着端子76との半田接合が必要であり、また、
（２）作業者は、ボルト78を締結するためのドライバーの他に、ナット80，82の締付工具が必要であり、さらに、
（３）ナット80，82が２個あるため締付工数が多くなる
等、部品点数の増加及び作業工程の煩雑化を招来していた。
【０００７】
本発明は、従来の上記問題点に鑑みて案出されたものであり、その目的とするところは、汎用市販品の端子台に取付けることにより、簡易な構成で回路基板に実装される電子部品に大電流を流すことのできる端子台用端子金具を実現することにある。
【課題を解決するための手段】
【０００８】
上記の目的を達成するために、本発明に係る端子台用端子金具は、
標準ネジが挿入螺合されるネジ孔が形成された天板部を有する端子台に取付けて使用する端子台用端子金具であって、
上記端子台のネジ孔と連通するネジ用孔が形成された天板と、接続対象の電子部品の導線の数と、少なくとも同数の導線挿入孔が形成された導線接続板を備えることを特徴とする。
【発明の効果】
【０００９】
本発明に係る端子台用端子金具は、標準ネジが挿入螺合される端子台のネジ孔と連通するネジ用孔が形成された天板と、接続対象の電子部品の導線の数と、少なくとも同数の導線挿入孔が形成された導線接続板を備えているので、上記ネジ用孔及びネジ孔に挿入した標準ネジを介して本発明の端子台用端子金具を端子台に取付けた上で、接続対象の電子部品の導線を導線接続板の導線挿入孔に直接接続すると共に、天板のネジ用孔に挿通した標準ネジに外部電源線を接続するという簡易な構成により、回路基板の導体パターンを介在させることなく、電子部品に大電流を流すことができる。
また、本発明に係る端子台用端子金具を取付ける端子台のネジ孔には標準ネジを挿入螺合できるので、ドライバーのみで接続作業を行うことができる。
【発明を実施するための形態】
【００１０】
以下、添付図面に基づいて、本発明に係る端子台用端子金具を説明する。
図１は本発明に係る端子台用端子金具10を示す斜視図、図２は同正面図、図３は同背面図、図４は同平面図、図５は同底面図、図６は同右側面図、図７は同左側面図、図８は図４のＡ−Ａ断面図、図９は図２のＢ−Ｂ断面図である。
【００１１】
また、図１０は本発明の端子台用端子金具10を取付ける汎用市販品の端子台12を示す斜視図、図１１は端子台12に本発明の端子台用端子金具10を取付けた状態を示す斜視図、図１２は同正面図、図１３は同背面図、図１４は同平面図、図１５は同底面図、図１６は同右側面図、図１７は同左側面図である。
【００１２】
図１０に示す通り、本発明の端子台用端子金具10を取付ける汎用市販品の端子台12は、導電材より成り、ネジ孔14ａが形成された略矩形状の天板部14と、該天板部14から垂下する一対の側壁部16と、上記側壁部16の下端から下方に突出する合計４本の脚部18を有している。
【００１３】
図１〜図９に示すように、本発明の端子台用端子金具10は、導電材より成り、ネジ用孔20ａが形成された略矩形状の天板20と、該天板20の一端から下方に延設された垂下板22と、該垂下板22の下端から、上記天板20と反対側の水平方向に延設され、２個の導線挿入孔24ａが形成された導線接続板24を有している。
【００１４】
端子台用端子金具10の天板20は、上記端子台12の天板部14と略同一矩形状と成されており、端子台用端子金具10の天板20を、端子台12の天板部14上に配置した際に、端子台用端子金具10の天板20のネジ用孔20ａと、端子台12の天板部14のネジ孔14ａとが連通するようになっている。
また、端子台用端子金具10の垂下板22の高さは、端子台12の側壁部16の高さと略同一と成されている。
【００１５】
図１１〜図１７に示すように、本発明に係る端子台用端子金具10と、上記端子台12とは、日本工業規格（ＪＩＳ規格）に適合する汎用市販品の標準ネジ26を介して取付けられる。
すなわち、本発明に係る端子台用端子金具10の天板20を、端子台12の天板部14上に配置し、端子台用端子金具10の天板20のネジ用孔20ａと、端子台12の天板部14のネジ孔14ａとを連通させた状態で、十字穴付きネジより成る標準ネジ26を、上記ネジ用孔20ａに挿入すると共に、ネジ孔14ａに螺合して成る。
尚、標準ネジ26と、端子台用端子金具10の天板20との間には、スプリングワッシャー28とワッシャー30が配置されている。
上記標準ネジ26として、十字穴付きネジの他、マイナス穴付きネジを使用しても勿論良い。
【００１６】
次に、図１８〜図２１に基づいて、本発明に係る端子台用端子金具10を取付けた端子台12を、回路基板26に取付けて使用する場合について説明する。
図１８は本発明に係る端子台用端子金具10を取付けた端子台12を、回路基板32に取付けた状態を示す平面図、図１９は同部分拡大斜視図、図２０は同部分拡大正面図、図２１は同部分拡大左側面図であり、本発明に係る端子台用端子金具10と、回路基板32に実装した電子部品としてのコイル34の導線36との接続を行った場合を例示している。
【００１７】
上記コイル34は、電源線等を通じるノイズを遮断・低減するためのノイズフィルタの構成部品等として広く用いられているものであり、図１８に示すように、磁性材料より成るコアを内蔵したリング状のコア内蔵ケース38の外周面に、可撓性を有する銅等より成る２本組の導線36をバイファイラ巻きして成るものである。
【００１８】
本発明の端子台用端子金具10を取付けた端子台12は、回路基板32に形成した孔（図示省略）に、４本の脚部18を挿通することにより回路基板32に取付けられる。
【００１９】
上記コイル34は、コア内蔵ケース38の外周面に２本組の導線36をバイファイラ巻きして成ることから、回路基板32に固定された端子台10に取付けた各端子台用端子金具10にはそれぞれ２本の導線36が接続されるものであり、図１９に示すように、端子台用端子金具10の導線接続板24に形成された２個の導線挿入孔24ａに導線36が挿通接続されている。
【００２０】
尚、導線接続板24の導線挿入孔24ａに挿通接続された導線36は、回路基板32に形成した孔（図示省略）を通って回路基板32の裏面側に引き出されている（図２０及び図２１参照）。
回路基板32の裏面側に引出された端子台12の脚部18及び導線36は、図示しない半田を介して回路基板32と接続される。半田接続対象の脚部18及び導線36が、回路基板32の裏面側に引出されているので、自動半田ディップ（溶融した半田を貯溜する半田に回路基板32の半田付面を侵漬して半田付けする方法）で半田付けすることができる。
【００２１】
図示しない外部電源線は、端子台用端子金具10の天板20のネジ用孔20ａに挿通された標準ネジ26とスプリングワッシャー28間に接続され、この結果、上記外部電源線を介してコイル34に５０Ａ以上の大電流を流すことができる。
【００２２】
上記においては、端子台用端子金具10の導線接続板24に２個の導線挿入孔24ａを形成した場合を例示したが、これは端子台用端子金具10に接続するコイル34の導線数（２本）に対応させたからであり、これに限定されるものではない。
例えば、端子台用端子金具10に接続する電子部品の導線の数が３本の場合には、導線接続板24に少なくとも３個の導線挿入孔24ａを形成しておけば良い。尚、導線挿入孔24ａの数が、電子部品の導線の数より多い分には、使用しない導線挿入孔24ａが存在するだけで特に問題は生じない。
従って、端子台用端子金具10の導線接続板24には、接続対象の電子部品の導線の数と、少なくとも同数の導線挿入孔24ａが形成されていれば良い。
【００２３】
本発明に係る端子台用端子金具10は、標準ネジ26が挿入螺合される端子台12のネジ孔14ａと連通するネジ用孔20ａが形成された天板20と、接続対象のコイル34の導線36の数と、少なくとも同数の導線挿入孔24ａが形成された導線接続板24を備えているので、上記ネジ用孔20ａ及びネジ孔14ａに挿通した標準ネジ26を介して端子台用端子金具10を端子台12に取付けた上で、接続対象のコイル34の導線36を導線接続板24の導線挿入孔24ａに直接接続すると共に、天板20のネジ用孔20ａに挿通した標準ネジ26に外部電源線を接続するという簡易な構成により、回路基板32の導体パターンを介在させることなく、コイル34に大電流を流すことができる。
また、本発明の端子台用端子金具10を取付ける端子台12のネジ孔14ａには標準ネジ26を挿入螺合できるので、ドライバーのみで接続作業を行うことができる。
【図面の簡単な説明】
【００２４】
【図１】本発明に係る端子台用端子金具を示す斜視図である。
【図２】本発明に係る端子台用端子金具を示す正面図である。
【図３】本発明に係る端子台用端子金具を示す背面図である。
【図４】本発明に係る端子台用端子金具を示す平面図である。
【図５】本発明に係る端子台用端子金具を示す底面図である。
【図６】本発明に係る端子台用端子金具を示す右側面図である。
【図７】本発明に係る端子台用端子金具を示す左側面図である。
【図８】図４のＡ−Ａ断面図である。
【図９】図２のＢ−Ｂ断面図である。
【図１０】本発明の端子台用端子金具を取付ける端子台を示す斜視図である。
【図１１】端子台に本発明の端子台用端子金具を取付けた状態を示す斜視図である。
【図１２】端子台に本発明の端子台用端子金具を取付けた状態を示す正面図である。
【図１３】端子台に本発明の端子台用端子金具を取付けた状態を示す背面図である。
【図１４】端子台に本発明の端子台用端子金具を取付けた状態を示す平面図である。
【図１５】端子台に本発明の端子台用端子金具を取付けた状態を示す底面図である。
【図１６】端子台に本発明の端子台用端子金具を取付けた状態を示す右側面図である。
【図１７】端子台に本発明の端子台用端子金具を取付けた状態を示す左側面図である。
【図１８】本発明の端子台用端子金具を取付けた端子台を回路基板に取付けた状態を示す平面図である。
【図１９】本発明の端子台用端子金具を取付けた端子台を回路基板に取付けた状態を示す部分拡大斜視図である。
【図２０】本発明の端子台用端子金具を取付けた端子台を回路基板に取付けた状態を示す部分拡大正面図である。
【図２１】本発明の端子台用端子金具を取付けた端子台を回路基板に取付けた状態を示す部分拡大左側面図である。
【図２２】回路基板に実装されたコイルへ大電流を流す場合の従来方法を示す平面図である。
【図２３】回路基板に実装されたコイルへ大電流を流す場合の従来方法を示す部分拡大斜視図である。
【符号の説明】
【００２５】
10    端子台用端子金具
12    端子台
14    端子台の天板部
14ａ  ネジ孔
14    端子台の天板部
16    端子台の側壁部
18    端子台の脚部
20    天板
20ａ  ネジ用孔
22    垂下板
24    導線接続板
24ａ  導線挿入孔
26    標準ネジ
28    スプリングワッシャー
30    ワッシャー
32    回路基板
34    コイル
36    導線
38    コア内蔵ケース
【図１】
2016173917.tif 000003
【図２】
2016173917.tif 000004
【図３】
2016173917.tif 000005
【図４】
2016173917.tif 000006
【図５】
2016173917.tif 000007
【図６】
2016173917.tif 000008
【図７】
2016173917.tif 000009
【図８】
2016173917.tif 000010
【図９】
2016173917.tif 000011
【図１０】
2016173917.tif 000012
【図１１】
2016173917.tif 000013
【図１２】
2016173917.tif 000014
【図１３】
2016173917.tif 000015
【図１４】
2016173917.tif 000016
【図１５】
2016173917.tif 000017
【図１６】
2016173917.tif 000018
【図１７】
2016173917.tif 000019
【図１８】
2016173917.tif 000020
【図１９】
2016173917.tif 000021
【図２０】
2016173917.tif 000022
【図２１】
2016173917.tif 000023
【図２２】
2016173917.tif 000024
【図２３】
2016173917.tif 000025